(57)【要約】      （修正有）【課題】モーターの外箱の振動を何時迄も変化させない、モーターの振動を体に伝える器具を提供する。【解決手段】送風の羽根を付けたモーターを支える外箱と、モーターとの接着を、不飽和脂肪酸ポリエステル樹脂と、増量剤の粉末を練り合わせ固着する。モーター軸に振子をつけて、モーターを動かした時に起こる振動を増幅し、外箱の外面を振動する。【選択図】図３
0003154398.tif 000002
【実用新案登録請求の範囲】
【請求項１】
送風の羽根をつけたモーターを支える外箱と、モーターとの接着を、不飽和脂肪酸ポリ
エステル樹脂と、増量剤の粉末を練り合わせ、固着した器具に於いて、モーター軸に振子をつけて、モーターを動かした時に起こる振動を増幅し、外箱の外面を振動し、このモーターの振動を身体に伝える器具。
【請求項２】
送風の羽根を付けたモーターを支える外箱と、モーターとの接着を、不飽和脂肪酸ポリエステル樹脂と、増量剤の粉末を練り合わせ、固着した器具に於いて、モーター軸に振子をつけて、モーターを動かした時に起こる振動を増幅し、外箱の外面を振動し、この外箱の外面に付けた複数個の突起を通して、モーターの振動を身体に伝える器具に於いて突起の形状を突起の先端から器具の外箱の外面迄の長さを０．６ｃｍ〜２ｃｍ未満とし、突起の先端から０．４ｃｍ２の所での突起の横断面の面積を０．０４ｃｍ２〜２０ｃｍ２とするモーターの振動を、突起によって身体に伝える器具。
【請求項３】
送風の羽根を付けたモーターを支える外箱と、モーターとの接着を、不飽和脂肪酸ポリエステル樹脂と、増量剤の粉末を練り合わせ、固着した器具に於いて、モーター軸に振子を付けて、モーターを動かした時に起こる振動を増幅し、外箱の外面を振動し、この外箱
の外面に付けた、複数個の突起を通してモーターの振動を身体に伝える器具に於いてモーターと、そのモーターを支える外箱との固着に不飽和脂肪酸ポリエステル樹脂と増量剤の粉末の混合物を使用するモーターの振動を身体に伝える器具。
【請求項４】
送風の羽根を付けたモーターを支える外箱と、モーターとの接着を、不飽和脂肪酸ポリエステル樹脂と、増量剤の粉末を練り合わせ、固着した器具に於いて、モーター軸に振子をつけて、モーターを動かした時に起こる振動を増幅し、外箱の外面を振動し、この外箱の外面の振動を身体に伝える器具に於いて、モーターに付ける羽根の面積を、モーター軸の中心から４．５ｃｍ〜１１ｃｍの間にある羽根の面積を２ｃｍ２〜２００ｃｍ２とする、モーターの
振動を身体に伝える器具。
【請求項５】
送風の羽根をつけたモーターを支える外箱と、モーターとの接着を、不飽和脂肪酸ポリエステル樹脂と、増量剤の粉末を練り合わせ、固着した器具に於いて、モーター軸に振子をつけて、モーターを動かした時に起こる振動を増幅し、外箱の外面を振動し、この外箱の外面の振動を身体に伝える器具に於いて、モーターと、外箱の接着に於いて、箱側の接着の為の突起の基部の柱（モーターを支える面の、両端にある柱）の材質を、容量で８０％〜１００％の木質の柱にする、モーターの振動を身体に伝える器具。
【考案の詳細な説明】
【技術分野】
【０００１】
この考案は健康を増進する器具に関する。
〔背景技術〕
【０００２】
特願  ２００８−１３０１３５、特願  ２００８−３０９２７８として出願している。
【特許文献１】特願２００８−３０９２７８
【考案の開示】
【考案が解決しようとする課題】
【０００３】
従来の器具は、モーターの回転運動を、ギヤーを使って直線運動に変える構造になって
おり、構造が複雑である。又外箱の振動を何時迄も変化させないようにすべきで、又温度上昇で、事故を防ぐ為、７０℃の温度フューズを使っているが、この温度フューズは、普通の温度フューズと違い、この温度フューズが切れると、殆ど、モーターは廃品となるので、この温度フューズが、切れる手前で、何か作動する方法はないか、又風量が温度上昇に、余程影響があるのではないか。
【０００４】
今回の考案はモーター軸に振子を取り付けてモーターの振動を増幅し、この振動を使用するもので、構造の簡単な器具の開発であり、外枠の振動を変化させない方策であり、
７０℃のヒューズを作動させない方策であり、通常の使用状態で７０℃の温度ヒューズを作動させない風量の策定である。
【０００５】
本考案はより構造の簡単な器具の開発であり、外箱の振動を変化させない方策であり、
７０℃の温度フューズを作動させない方策であり、７０℃の温度フューズを作動させない
風量の策定の開発である。
【課題を解決するための手段】
【０００６】
モーター軸に振子をつけて、モーターの振動を増幅し、その振動をモーターを固定する
為に、覆った外箱の外面に伝達し、外箱の外面に突起を付けて、その突起の先端を足の  裏に当てるようにした。又箱の振動を、何時迄も変化しないようにモーターと、モーターを支える外箱との接続に、棒トーとナットでは必ず、ゆるみが起こって、何時迄も、最初の強さは続かんので、外箱には釘で突起を付け、モーター部にも突起を付け、双方の突起を不飽和ポリエステル樹脂と、増量材の粉末の混合物を混じたもので覆い、固化して固く固め、又７０℃温度ヒューズが作動する前に、蝋を付けた作動物を、モーターの金属部に当てて蝋が融解すると、作動物中のコイルバネが作動して、作動物中の板が、モーター軸を圧して、モーター軸の回転を止めるようにした。又送風の羽の面積を広げた。
【考案の効果】
【０００７】
簡単な操作で足裏の点部に振動を伝える事ができた。又外箱の振動が、以前より大となり、この振動が、何時迄も、維持出来る様になった。又７０℃の温度フューズが作動はなく、又体に伝わる振動が強過ぎると感じた場合、モーター軸を圧する作動物で適当な強さを得る事が出来る。又送風の羽根を大きくして空気の出入り口を狭くしない限り、又余程高温の  暖房中で長時間運転しない限り蝋による作動はしなくなった。
【０００８】
年齢にかかわらず、男子の尿道の血行を活発にする。
【０００９】
いつでも、何時間でも、気持ちよく使用する事が出来る。
【００１０】
足の裏の按摩は今まで経験したことのない心地よさを与える。
【００１１】
椅子に座って足裏に刺激をするのに、睡魔に襲われるようになる。
【００１２】
ギックリ腰より起こった重症の腰痛が、足の刺激で治る。
【００１３】
通じが良くなり、下痢の手前の状態を続ける事が出来る。
【００１４】
長時間の精神統一が出来る。
【００１５】
食べ過ぎが、簡単に納まる
〔考案を実施する為の形態〕
【００１６】
振子は、モーターの回転によって振子を取り付ける前に比べて大きな振動を起こすので、その振動を、利用するため、１００Ｖ，４５Ｗ、回転数毎分１１５０回転のモーターで２０Ｗに調整し、更にダイオードを付けて、１０Ｗの消費電力として使用し、モーター軸にモーター軸より３．５ｃｍ離れた処に重量３０ｇの重りを付け、直径１ｃｍ長さ１．８ｃｍの棒トウ数本を外箱に付け、棒トウの先端を足の裏に当てるようにした。重りを収納した筒に送風用の羽根１００ｃｍ２を取り付け外箱に数本の釘突起を付け、モーターにも２本の棒トウ（突起は４本）を付け、これらの突起を覆うように、不飽和ポリエステル樹脂と増量剤の粉末を練り合わした混合物で囲み固化し７０℃の温度フューズを取り付け、蝋による温度制御装置を付けた。
【図面の簡単な説明】
【００１７】
【図１】足裏振動器を上より見た図である。
【図２】足裏振動器の、外箱に取り付ける前の、モーター関連部を取り付けたもので、モーター軸を水平にして、蝋による温度制御装置を横から見た図である。
【図３】足裏振動器を横から見た図である。
【図４】足裏振動器の、外箱に取り付ける前の、モーター関連部を取り付けたもので、モーター軸を水平にして、蝋による温度制御装置を上より見た図である。
【符号の説明】
【００１８】
１  モーター
２  振子
３  突起
４  不飽和ポリエステル樹脂と、増量材の粉末の混合物の固化物
５  外箱
６  温度制御装置のモーター軸押さえ部
７  温度制御装置のコイルバネ部
８  温度制御装置の蝋部
９  裏面が温度制御装置の蝋部
１０  モーターを固定する為の棒トウ（２本なるも突起では４本）
１１  モーターを固定する為の箱側の突起
１２  ７０℃の温度フューズ
１３  送風の羽根
１４  送風の羽根の基盤部
１５  温度制御装置のモーター軸を押さえる部分
１６  温度制御装置を解除する棒トウ
【図１】
0003154398.tif 000003
【図２】
0003154398.tif 000004
【図３】
0003154398.tif 000005
【図４】
0003154398.tif 000006